(57)【要約】【課題】ダンパーホルダの組み立て時における取付位置の正確性を高めつつも、作業者の負担を抑制する。【解決手段】光ピックアップには、筐体と、対物レンズを保持するアクチュエータ部と、アクチュエータ部の両側部にそれぞれ連結される複数の弾性部材と、アクチュエータ部の一側部に連結された一方の弾性部材を支持し、なおかつ前記筐体に固定された第一のダンパーホルダと、アクチュエータ部の他側部に連結された他方の弾性部材を支持し、なおかつ前記筐体に固定された第二のダンパーホルダとが備えられている。第一のダンパーホルダと第二のダンパーホルダとは別体である。【選択図】図１
2008299933.tif 000002
【特許請求の範囲】
【請求項１】
筐体と、
対物レンズを保持するアクチュエータ部と、
前記アクチュエータ部の両側部にそれぞれ連結される複数の弾性部材と、
前記アクチュエータ部の一側部に連結された一方の弾性部材を支持し、なおかつ前記筐体に固定された第一のダンパーホルダと、
前記アクチュエータ部の他側部に連結された他方の弾性部材を支持し、なおかつ前記筐体に固定された第二のダンパーホルダとを備え、
前記第一のダンパーホルダと前記第二のダンパーホルダとが別体であることを特徴とする光ピックアップ。
【請求項２】
請求項１記載の光ピックアップにおいて、
前記第一のダンパーホルダと前記第二のダンパーホルダとの間には、前記対物レンズまで達する光路が配される空間が形成されていることを特徴とする光ピックアップ。
【請求項３】
請求項１又は２記載の光ピックアップにおいて、
前記第一のダンパーホルダと前記第二のダンパーホルダとの間には、前記対物レンズに向けて光を照射するレーザダイオードが設けられていることを特徴とする光ピックアップ。
【請求項４】
請求項１〜３のいずれか一項に記載の光ピックアップにおいて、
前記第一のダンパーホルダと前記第二のダンパーホルダとが同一形状であることを特徴とする光ピックアップ。
【発明の詳細な説明】
【技術分野】
【０００１】
本発明は、光ピックアップに関する。
【背景技術】
【０００２】
従来の光ピックアップでは、対物レンズとディスクとの間隔を一定に保つために、弾性部材を介して対物レンズをダンパーホルダで支持するものが知られている（例えば特許文献１参照）。具体的に図を参照して説明する。図４は従来の光ピックアップの概略構成を示す斜視図である。この図４に示すように、従来の光ピックアップ１００には、筐体１０１と、筐体１０１の内側中央に配置されるアクチュエータ部１０２と、筐体１０１の内側一端部に配置されるレーザダイオード１０３と、筐体１０１の内側他端部に配置されるダンパーホルダ１０４と、アクチュエータ部１０２をダンパーホルダ１０４に支持させるための一対の弾性部材１０５ａ，１０５ｂとが設けられている。
【０００３】
アクチュエータ部１０２には、図示しない反射鏡で反射したレーザダイオードからの光をディスク上に集光するための対物レンズ１０６とが設けられている。
【０００４】
ダンパーホルダ１０４には、図５に示すようにアクチュエータ部１０２に対向する基部１０８と、基部の両端からアクチュエータ部１０２に向けて延出する延出部１０９，１１０とが備えられている。
延出部１０９，１１０には、アクチュエータ部１０２の両側部に固定された弾性部材１０５が貫通されていて、当該弾性部材１０５は、基部１０８の一端面にある基板１１１に接続されている。ここで、アクチュエータ部１０２がディスクの反りや面振れに追従して移動させやすくするために、弾性部材１０５ａ,１０５ｂのそれぞれのバネ定数を異ならせている。具体的には、図４に示す光ピックアップ１００では、延出部１０９，１１０のうち、一方の延出部１０９の方を他方の延出部１１０よりも長く延出させることで、弾性部材１０５ａ，１０５ｂの長さを異ならせ、それぞれのバネ定数を異ならせている。また、図６に示す光ピックアップ１００Ａでは、２つの延出部１０９，１１０の長さを一定として、弾性部材１０５ａ，１０５ｂの太さを異ならせることで、それぞれのバネ定数を異ならせている。
【特許文献１】特開２００３−２４８９４６号公報
【発明の開示】
【発明が解決しようとする課題】
【０００５】
近年、ディスクドライブ装置の小型化に伴って光ピックアップの小型化も進んでいる。このため、光ピックアップ１００の各構成部も小さくなっており、組み立て時には作業者に負担を強いることになっていた。特に、ダンパーホルダ１０４においては、延出部１０９，１１０の位置が逆転しないように取り付けなければならないが、延出部１０９，１１０の長さを異ならせた場合や、弾性部材１０５ａ，１０５ｂの太さを異ならせた場合の何れの場合でも、それらの差は肉眼で見れば僅かなものであるので、より作業者に負担をかけることになっていた。
【０００６】
本発明の課題は、ダンパーホルダの組み立て時における取付位置の正確性を高めつつも、作業者の負担を抑制することである。
【課題を解決するための手段】
【０００７】
請求項１記載の発明に係る光ピックアップは、
筐体と、
対物レンズを保持するアクチュエータ部と、
前記アクチュエータ部の両側部にそれぞれ連結される複数の弾性部材と、
前記アクチュエータ部の一側部に連結された一方の弾性部材を支持し、なおかつ前記筐体に固定された第一のダンパーホルダと、
前記アクチュエータ部の他側部に連結された他方の弾性部材を支持し、なおかつ前記筐体に固定された第二のダンパーホルダとを備え、
前記第一のダンパーホルダと前記第二のダンパーホルダとが別体であることを特徴としている。
【０００８】
請求項２記載の発明は、請求項１記載の光ピックアップにおいて、
前記第一のダンパーホルダと前記第二のダンパーホルダとの間には、前記対物レンズまで達する光路が配される空間が形成されていることを特徴としている。
【０００９】
請求項３記載の発明は、請求項１又は２記載の光ピックアップにおいて、
前記第一のダンパーホルダと前記第二のダンパーホルダとの間には、前記対物レンズに向けて光を照射するレーザダイオードが設けられていることを特徴としている。
【００１０】
請求項４記載の発明は、請求項１〜３のいずれか一項に記載の光ピックアップにおいて、
前記第一のダンパーホルダと前記第二のダンパーホルダとが同一形状であることを特徴としている。
【発明の効果】
【００１１】
本発明によれば、第一のダンパーホルダと第二のダンパーホルダとが別体であるので、光ピックアップの組み立て前に予め第一のダンパーホルダと第二のダンパーホルダとにバネ定数の異なる弾性部材を取り付けておくと、それぞれを別工程で筐体に固定することができる。これにより、作業者が逐一ダンパーホルダの形状等を視認しなくとも、第一のダンパーホルダと第二のダンパーホルダとを正確な位置に固定することが可能となり、作業者の負担も軽減することとなる。
【発明を実施するための最良の形態】
【００１２】
以下、図を参照にして本発明の実施形態について説明する。図１は本実施形態に係る光ピックアップの概略構成を示す斜視図である。この図１に示すように、光ピックアップ１には、筐体２と、筐体２の内側一端部に配置されるアクチュエータ部３と、筐体２の内側他端部に配置されるレーザダイオード４と、レーザダイオード４の両側方に配置されるダンパーホルダ群５と、ダンパーホルダ群５にアクチュエータ部３を支持させるための複数の弾性部材６と、各部に電気信号を供給するためフレキシブル基板７とが備えられている。
【００１３】
筐体２には、アクチュエータ部３の位置を調整するための主ヨーク２１が、当該アクチュエータ部３の両側方に位置するように設けられている。また、筐体２には、レーザダイオード４からの光をディスクに向けて反射する反射鏡２２が設けられている。
【００１４】
アクチュエータ部３には、当該アクチュエータ部３の位置を調整するための副ヨーク３１と、反射鏡２２により反射された光をディスク上で集光するために対物レンズ３２とが搭載されている。このアクチュエータ部３の両側部には、外方に向けて突出する突出部３３ａ，３３ｂが形成されている。
【００１５】
複数の弾性部材６は、それぞれ同じ太さの金属製の棒状部材であり、アクチュエータ部３の突出部３３ａ，３３ｂに連結されている。これにより、弾性部材６とアクチュエータ部３内の図示しないコイルとが電気的に接続されることになる。ここで、複数の弾性部材６のうち、アクチュエータ部３の一側部に位置する突出部３３ａに連結される弾性部材６ａの方が、他側部に位置する突出部３３ｂに連結される弾性部材６ｂよりも、所定の長さＬだけ長く形成されている。これにより、弾性部材６ａと弾性部材６ｂとのバネ定数が異なることになる。
【００１６】
ダンパーホルダ群５は、第一のダンパーホルダ５１と、第二のダンパーホルダ５２とを備えている。第一のダンパーホルダ５１と第二のダンパーホルダ５２とは、同一形状に形成されていて、それぞれが別体となっている。図２に示すように、第一のダンパーホルダ５１と第二のダンパーホルダ５２は、四角柱状の樹脂製の本体部５３から形成されている。この本体部５３には、上下方向に沿う切欠５４が設けられており、この切欠５４内にゲル状の防振部５５が充填されている。そして、防振部５５から本体部５３にかけて、レーザダイオード４の光路方向に沿う貫通孔５６が上下に２つ形成されている。第一のダンパーホルダ５１の貫通孔５６には、長い方の弾性部材６ａが挿入され、第二のダンパーホルダ５２の貫通孔５６には、短い方の弾性部材６ｂが挿入される。そして、第一のダンパーホルダ５１と第二のダンパーホルダ５２は、それぞれ所定の設置箇所で筐体２に固定されている。ここで、図１に示すように、レーザダイオード４の光路方向における突出部３３ａ，３３ｂの位置は両者ともに同位置であるために、第一のダンパーホルダ５１と第二のダンパーホルダ５２との設置箇所は弾性部材６ａ，６ｂの長さに依存する。つまり、第二のダンパーホルダ５２の設置箇所は、第一のダンパーホルダ５１よりも長さＬだけアクチュエータ部３寄りとなる。
【００１７】
フレキシブル基板７は、その基端部が図示しない回路基板に電気的に接続されている。また、フレキシブル基板７の先端中央部には、レーザダイオード４が電気的に接続されている。また、フレキシブル基板７の先端両端部には、第一のダンパーホルダ５１及び第二のダンパーホルダ５２のそれぞれの貫通孔５６から露出する弾性部材６ａ，６ｂが電気的に接続されている。これにより、第一のダンパーホルダ５１と第二のダンパーホルダ５２との間に、対物レンズ３２まで達する光路が配される空間が形成されることになって、この空間内にレーザダイオード４が設置されることになる。
なお、前述したように第一のダンパーホルダ５１と第二のダンパーホルダ５２との設置箇所が異なっていたとしても、フレキシブル基板７自体が可撓性を有しているために、弾性部材６ａ，６ｂとの電気的な接続も容易に行うことが可能となっている。
【００１８】
次に、本実施形態の作用について説明する。
まず、光ピックアップ１の組み立て作業前に、第一のダンパーホルダ５１の貫通孔５６内に弾性部材６ａを挿入したものと、第二のダンパーホルダ５２の貫通孔５６内に弾性部材６ｂを挿入したものとを予め作成しておき（図３参照）、それらを製造ライン上の別の組み立て工程の作業箇所に配置しておく。
【００１９】
そして、組み立て作業時においては、作業者はアクチュエータ部３の一側部の突出部３３ａに弾性部材６ａを取り付けてから、第一のダンパーホルダ５１を筐体２の所定の設置箇所に固定する。その後の工程で、作業者はアクチュエータ部３の他側部の突出部３３ｂに弾性部材６ｂを取り付けてから、第二のダンパーホルダ５２を筐体２の所定の設置箇所に固定する。
【００２０】
そして、以降の工程で、レーザダイオード４やフレキシブル基板７を取り付け光ピックアップ１の組み立てを完了する。
【００２１】
以上のように、第一のダンパーホルダ５１と第二のダンパーホルダ５２とが別体であるので、光ピックアップ１の組み立て前に予め第一のダンパーホルダ５１と第二のダンパーホルダ５２とにバネ定数の異なる弾性部材６ａ，６ｂを取り付けておくと、それぞれを別工程で筐体２に固定することができる。これにより、作業者が逐一ダンパーホルダの形状等を視認しなくとも、第一のダンパーホルダ５１と第二のダンパーホルダ５２とを正確な位置に固定することが可能となり、作業者の負担も軽減することとなる。
【００２２】
また、第一のダンパーホルダ５１と第二のダンパーホルダ５２とが同一形状であるので、これらを作成する金型も共通化することが可能となる。
【００２３】
さらに、第一のダンパーホルダ５１と第二のダンパーホルダ５２との間の空間に、レーザダイオード４が設置されるので、これら各部品を筐体２の一側部にまとめることができ、従来のようなアクチュエータ部を挟んでダンパーホルダとレーザダイオードとが配置された光ピックアップと比較しても、小型にすることが可能となる。また、弾性部材６ａ，６ｂやレーザダイオード４に対する電気配線も共通化することが可能となる。
【００２４】
なお、本発明は上記実施形態に限らず適宜変更可能であるのは勿論である。
例えば、本実施形態では、弾性部材６ａ，６ｂのバネ定数を異ならせるために当該弾性部材６ａ，６ｂの長さを異ならせているが、バネ定数が異なるのならこれ以外の手法であっても構わない。例えば、弾性部材の太さを異ならせること等が挙げられる。
【図面の簡単な説明】
【００２５】
【図１】本実施形態に係る光ピックアップの概略構成を示す斜視図である。
【図２】本実施形態に係る第一及び第二のダンパーホルダの概略構成を示す図であり、（ａ）は上面図、（ｂ）は正面図、（ｃ）は側面図である。
【図３】本実施形態に係る第一のダンパーホルダに弾性部材を挿入した状態と、第二のダンパーホルダに弾性部材を挿入した状態を示す説明図である。
【図４】従来の光ピックアップの概略構成を示す斜視図である。
【図５】図４の光ピックアップに備わるダンパーホルダとアクチュエータ部とを示す拡大図である。
【図６】その他の従来の光ピックアップの概略構成を示す斜視図である。
【符号の説明】
【００２６】
１      光ピックアップ
２      筐体
３      アクチュエータ部
４      レーザダイオード
５      ダンパーホルダ群
６      弾性部材
７      フレキシブル基板
３２      対物レンズ
５１      第一のダンパーホルダ
５２      第二のダンパーホルダ
【図１】
2008299933.tif 000003
【図２】
2008299933.tif 000004
【図３】
2008299933.tif 000005
【図４】
2008299933.tif 000006
【図５】
2008299933.tif 000007
【図６】
2008299933.tif 000008